(57)【要約】【課題】従来の画像信号処理装置では、同時に複数の映像信号を処理する場合には、映像処理全体としての速度が遅くなり、映像の画質を落とさなければならない虞があった。【解決手段】テレビジョン受像機１の備える信号処理回路１３は、１画面表示モード中には第１の信号処理部２のみで映像信号を処理し、２画面表示モード中には主画面と副画面とで受信要求チャンネルが異なると両信号処理部２，３で、また、同じだと第１の信号処理部２のみで映像信号を処理する。【選択図】  図２
2008306540.tif 000002
【特許請求の範囲】
【請求項１】
放送波から取得した映像信号、及び／又はデータを処理する信号処理手段を複数備えた多画面表示出力を有する画像信号処理装置であって、
取得した複数の映像信号、及び／又はデータが同一ＣＨ（チャンネル）の信号の場合に、前記信号処理手段の処理の少なくとも一部を、同一の信号処理手段に行わせる処理手段選択手段を備えることを特徴とする画像信号処理装置。
【請求項２】
前記信号処理手段は、デコードを行う回路、ＩＰ（インターレース・プログレッシブ）変換を行う回路、ＮＲ（ノイズリダクション）を行う回路の少なくとも１つの回路を備えて構成されていることを特徴とする請求項１に記載の画像信号処理装置。
【請求項３】
単一のチップ上に集積した集積回路として構成されていることを特徴とする請求項１又は請求項２に記載の画像信号処理装置。
【請求項４】
請求項１乃至請求項３の何れか１項に記載の画像信号処理装置を用いて画像表示を行う受像装置であって、
画像表示する１又は複数の番組を選択する番組選択手段と、
この番組選択手段で選択された番組を含むＣＨの放送波を受信する放送受信手段とを備え、
前記画像信号処理装置の備える前記処理手段選択手段は、前記放送受信手段が受信した放送波から取得した映像信号、及び／又はデータが同一ＣＨの信号の場合に、信号処理の少なくとも一部を、同一の前記信号処理手段に行わせることを特徴とする受像装置。
【請求項５】
同時に複数入力された放送波が別ＣＨであるときには、各放送波から取得した信号を各放送波毎に別々に処理して各放送波毎の処理信号として出力すると共に、同時に複数入力された放送波が同一ＣＨであるときには、その中の何れかの放送波から取得した信号のみ処理を行った後、入力された各放送波毎の処理信号として出力することを特徴とする画像信号処理方法。
【請求項６】
同時に複数入力された放送波が同一ＣＨであるときには、デコード、ＩＰ変換、ＮＲの少なくとも１つの処理を、何れかの放送波から取得した信号についてのみ行うことを特徴とする請求項５に記載の画像信号処理方法。
【請求項７】
複数画面に映像表示を行う受像方法であって、
別番組を複数画面に同時に表示するときには、受信した放送波から取得した各番組の映像信号を各番組毎に別々に処理すると共に、同一番組を複数画面に同時に表示するときには、何れかの番組の映像信号のみ処理を行い、その処理信号に基づき前記複数画面への表示を行うことを特徴とする受像方法。
【請求項８】
同一番組を複数画面に同時に表示するときには、デコード、ＩＰ変換、ＮＲの少なくとも１つの処理を、何れかの番組の信号についてのみ行うことを特徴とする請求項７に記載の受像方法。
【発明の詳細な説明】
【技術分野】
【０００１】
本発明は、放送波に含まれる画像信号の処理方法、及び、この処理方法を用いた受像方法、画像信号処理装置、並びに受像装置に関する。
【背景技術】
【０００２】
２画面表示等の複数画面表示が可能なテレビが備える画像信号処理装置では、一般的に、放送波から取得した映像信号のデコード，ＩＰ（インターレース・プログレッシブ）変換，ＮＲ（ノイズリダクション）等するための回路を、それぞれ同時に処理する必要のある最大チャンネル数と同じ数だけ備えており、複数画面表示を行うときにはデコード，ＩＰ変換，ＮＲの各処理が、処理するチャンネル毎に別個の回路で行われる。
【０００３】
近年、テレビでは、下記の特許文献１に示すように、単一のチップ上に集積された画像信号処理装置を用いて、映像信号のデコード，ＩＰ変換，ＮＲ、スケーリング等の処理を行う傾向にある。
【０００４】
【特許文献１】特開２００５−９９５１６号公報
【発明の開示】
【発明が解決しようとする課題】
【０００５】
この種の画像信号処理装置では、画像信号としての映像信号を同時に複数処理する場合には、大部分の映像処理がフレーム間処理を伴うこと等から、メモリバンド幅が足りずに映像処理全体としての速度が遅くなる虞があり、また、このようなことを避けるために画像信号処理装置を含む映像処理ブロックの性能を落とさなければならない虞があった。
【０００６】
特に、画像信号処理装置が単一のチップ上に集積された集積回路として構成されている場合には、チップに納めることのできる回路数や各回路を結ぶバス幅や配線数がチップ面積によって制限されることから十分なメモリバンド幅を得るのが容易ではなく、メモリバンド幅が足りなくなる傾向にあった。しかも、地上デジタル放送やＢＳデジタル放送等のデジタル放送では、多くのデータを処理する必要があることから、２画面表示時の映像信号処理の際、特にチャンネル切換の際に、メモリバンド幅が足りなくなる傾向が強く、これらの問題が起きやすかった。
【０００７】
本発明は斯かる課題に鑑みてなされたもので、上記課題を解決できる画像信号処理装置、受像装置、画像信号処理方法、及び受像方法を提供することを目的とする。
【課題を解決するための手段】
【０００８】
このような目的を達成するために、本発明の画像信号処理装置は、放送波から取得した映像信号、及び／又はデータを処理する信号処理手段を複数備えた多画面表示出力を有する画像信号処理装置であって、取得した複数の映像信号、及び／又はデータが同一ＣＨ（チャンネル）の信号の場合に、前記信号処理手段の処理の少なくとも一部を、同一の信号処理手段に行わせる処理手段選択手段を備えることを特徴とする。
また、本発明の画像信号処理装置は、前記信号処理手段は、デコードを行う回路、ＩＰ（インターレース・プログレッシブ）変換を行う回路、ＮＲ（ノイズリダクション）を行う回路の少なくとも１つの回路を備えて構成されていることを特徴とする。
また、本発明の画像信号処理装置は、単一のチップ上に集積した集積回路として構成されていることを特徴とする。
また、本発明の受像装置は、請求項１乃至請求項３の何れか１項に記載の画像信号処理装置を用いて画像表示を行う受像装置であって、画像表示する１又は複数の番組を選択する番組選択手段と、この番組選択手段で選択された番組を含むＣＨの放送波を受信する放送受信手段とを備え、前記画像信号処理装置の備える前記処理手段選択手段は、前記放送受信手段が受信した放送波から取得した映像信号、及び／又はデータが同一ＣＨの信号の場合に、信号処理の少なくとも一部を、同一の前記信号処理手段に行わせることを特徴とする。
また、本発明の画像信号処理方法は、同時に複数入力された放送波が別ＣＨであるときには、各放送波から取得した信号を各放送波毎に別々に処理して各放送波毎の処理信号として出力すると共に、同時に複数入力された放送波が同一ＣＨであるときには、その中の何れかの放送波から取得した信号のみ処理を行った後、入力された各放送波毎の処理信号として出力することを特徴とする。
また、本発明の画像信号処理方法は、同時に複数入力された放送波が同一ＣＨであるときには、デコード、ＩＰ変換、ＮＲの少なくとも１つの処理を、何れかの放送波から取得した信号についてのみ行うことを特徴とする。
また、本発明の受像方法は、複数画面に映像表示を行う受像方法であって、別番組を複数画面に同時に表示するときには、受信した放送波から取得した各番組の映像信号を各番組毎に別々に処理すると共に、同一番組を複数画面に同時に表示するときには、何れかの番組の画像信号のみ処理を行い、その処理信号に基づき前記複数画面への表示を行うことを特徴とする。
また、本発明の受像方法は、同一番組を複数画面に同時に表示するときには、デコード、ＩＰ変換、ＮＲの少なくとも１つの処理を、何れかの番組の信号についてのみ行うことを特徴とする。
【発明の効果】
【０００９】
本発明によれば、映像処理速度が遅れることや、映像の画質を落とさなければならなくなる事態を生じ難くすることができ、また、映像表示のための消費電力も減らすることができる。
【発明を実施するための最良の形態】
【００１０】
以下、図面を参照して本発明を実施する最良の形態を説明する。
図１は、本発明を適用したテレビジョン受像機１の構成の概略を説明する図である。
【００１１】
テレビジョン受像機１は、地上デジタル放送の放送波を受像することのできる受像機であり、１つの表示画面に主画面のみを表示させる１画面表示モードと、主画面と副画面の２つの画面を同時に表示させる２画面表示モードとを選択して画面表示を行うことができる。なお、図１には放送波に含まれる映像信号とデータの処理系だけを示してあり、音声番組やデータ放送番組に含まれる音声信号のデコード後の処理系については省略してある。
【００１２】
まず、テレビジョン受像機１が、地上デジタル放送の物理チャンネルに含まれる映像放送番組を２画面表示する、本発明の第１の実施形態について説明する。
【００１３】
テレビジョン受像機１は、複数の物理チャンネルの放送波を受信するアンテナ１１と、アンテナ１１で受信した放送波の中から１つの物理チャンネルの放送波をそれぞれ選択するチューナ１２ａ，１２ｂと、放送波から映像信号、及び／又はデータ放送のデータを取得して処理する信号処理回路１３と、信号処理回路１３の処理のために一時的な記憶手段として用いられる映像処理用記憶回路１４と、信号処理回路１３で処理された映像信号、及び／又はデータ放送のデータを元に２画面合成信号を作成する多画面信号作成回路１５と、液晶表示装置１７の表示画面に画像表示を行う受像処理回路１６と、各回路を制御する制御部１８とを備える。
【００１４】
チューナ１２ａ，１２ｂは、それぞれ共通のアンテナ１１に接続してある。第１のチューナ１２ａは、１画面表示モード及び２画面表示モード時の主画面用の番組の編成チャンネルを含む物理チャンネルの放送波（第１放送波）を、アンテナ１１で受信した放送波の中から選択して信号処理回路１３に供給するためのものである。第２のチューナ１２ｂは、２画面表示モード時の副画面用の番組の編成チャンネルを含む物理チャンネルの放送波（第２放送波）を、アンテナ１１で受信した放送波の中から選択して信号処理回路１３に供給するためのものである。
【００１５】
映像処理用記憶回路１４は、ＤＤＲＳＤＲＡＭ（Double Data Rate SDRAM)等のＲＡＭであり、信号処理回路１３での映像信号の処理に用いられるデータが一時的に記憶される。
【００１６】
制御部１８は、アンテナ１１で受信した放送波を処理して液晶表示装置１７に表示するための制御信号をチューナ１２ａ，１２ｂ、信号処理回路１３、多画面信号作成回路１５、及び受像処理回路１６に供給する制御を行うＣＰＵと、ＣＰＵによる制御に必要な各種テーブルや動作プログラムが記憶されたＲＯＭと、ＣＰＵによる制御処理に必要な情報を一時的に記憶するＲＡＭとを備えて構成されている。ＲＡＭは、画面表示モード情報や受信要求チャンネル情報等の映像処理に必要な情報の格納領域を備えている。ここで、画面表示モード情報は、液晶表示装置１７の表示画面に１画面及び２画面の何れの表示を行うかを示す情報である。また、受信要求チャンネル情報は、映像表示を要求する番組の編成チャンネル（受信要求チャンネル）の種類を表す情報であり、主画面及び副画面についての各受信要求チャンネルの情報を含んで構成される。
【００１７】
多画面信号作成回路１５は、２画面表示モード時には後述する第１の信号処理部２からの映像信号、及び／又はデータ放送のデータを主画面用、後述する第２の信号処理部３からの映像信号、及び／又はデータ放送のデータを副画面用として２画面合成信号を作成し、１画面表示モード時には後述する第１の信号処理部２から供給される映像信号、及び／又はデータ放送のデータをそのまま出力させる回路である。また、多画面信号作成回路１５は、２画面表示モード中に主画面と副画面とで同じ受信要求チャンネルが選択されているときには、後述する第１の信号処理部２からの映像信号、及び／又はデータ放送のデータを主画面用及び副画面用として２画面合成信号を作成して出力する。
【００１８】
受像処理回路１６は、多画面信号作成回路１５からの入力信号に基づき液晶表示装置１７の表示画面に画像を表示させる処理を行う回路である。受像処理回路１６は、後述する操作キー１９ａや赤外線受光部１９ｂからの入力に応じて、液晶表示装置１７の表示画面のコントラストや色合い等の調整も行う。
【００１９】
また、テレビジョン受像機１は、受信要求チャンネル切換、音量調整、画面表示モード選択などを行う操作キー１９ａを備えており、この操作キー１９ａの操作に基づいて制御部１８による各回路の制御が行われる。また、テレビジョン受像機１は、図示しないリモートコントロール装置から赤外線信号として送信される遠隔制御信号を受光する赤外線受光部１９ｂを備え、この赤外線受光部１９ｂが受光した遠隔制御信号によっても、制御部１８による各回路の制御が行われる。
【００２０】
図２は、信号処理回路１３の構成の概略を説明する図である。図２は放送波に含まれる映像信号の処理系を主に示したもので、デコード後の音声番組やデータ放送番組に含まれる音声信号やデータ信号等の処理系については省略しており、以降、映像信号の処理を主に説明する。
【００２１】
信号処理回路１３は、放送波から映像信号を取得して処理する第１の信号処理部２及び第２の信号処理部３と、各信号処理部２，３で処理した映像信号を出力する表示出力Ｉ／Ｆ（インターフェース）４と、映像処理用記憶回路１４との間でデータや信号を送受信する記憶回路用Ｉ／Ｆ５と、これらの動作を制御する制御回路６と、各回路を接続するＢＵＳ７とを含んで構成され、１チップ上に集積されている。
【００２２】
信号処理部２，３は、チューナ１２ａ，１２ｂから入力された物理チャンネルの放送波を復調し、放送波に含まれる映像，音声，データ等の各信号を分離する復調・分離回路２１と、この復調・分離回路２１で得られた映像，音声，データ等の各信号をデコードするデコード回路２２と、デコード回路２２で生成された映像信号をインターレース方式からプログレッシブ方式に変換するＩＰ（インターレース・プログレッシブ）変換回路２３と、映像信号に含まれるノイズを除去するＮＲ（ノイズリダクション）回路２４と、映像信号から輝度信号と色信号とを分離するＹ（輝度信号）／Ｃ（色信号）分離回路２５と、スケーリングを行うスケーリング回路２６等を備えて構成されている。なお、復調・分離回路２１ではＴＳパケット形式の映像，音声，データ等の各信号が取得され、デコード回路２２では、このＴＳパケット形式の映像，音声，データ等の各信号がデコードされる。
【００２３】
制御回路６は、制御部１８から入力される制御信号に基づいて、信号処理回路１３を構成する各回路の動作を制御する回路である。制御回路６は、１画面表示モード中には第１の信号処理部２のみに対して信号処理を指示し、２画面表示モード中には主画面と副画面とで受信要求チャンネルが異なると両信号処理部２，３に対し、また、同じだと第１の信号処理部２のみに対し信号処理を指示する。ＢＵＳ７は、信号処理回路１３内で信号をやりとりするための経路である。
【００２４】
操作キー１９ａ、赤外線受光部１９ｂ、及び制御部１８は、画像表示する１又は複数の番組を選択する番組選択手段を構成している。また、チューナ１２ａ，１２ｂは、番組選択手段で選択された番組を含む物理チャンネルの放送波を受信する放送受信手段を構成している。また、信号処理部２，３は、放送波から取得した映像，音声，データ等の各信号を処理する信号処理手段を構成している。また、信号処理回路１３の制御回路６は、取得した複数の画像信号が同一番組のものであると各画像信号の処理の少なくとも一部を、第１の信号処理部２のみに行わせる処理手段選択手段を構成している。本実施形態では、制御回路６は、放送受信手段が受信した放送波から取得した映像信号のうち、複数の同一番組の各映像信号の処理のうちの復調・分離、デコード、ＩＰ変換、ＮＲ、Ｙ／Ｃ分離、及びスケーリングの処理を、第１の信号処理部２のみに行わせる。
【００２５】
次に、テレビジョン受像機１による映像表示の動作を説明する。
映像表示を行う際、テレビジョン受像機１の制御部１８は、ＲＡＭに記憶されている画面表示モード情報や受信要求チャンネル情報等の情報を参照して各チューナ１２ａ，１２ｂを制御し、１画面表示モード時には第１のチューナ１２ａから、２画面表示モード時には両チューナ１２ａ，１２ｂから信号処理回路１３に対して受信要求チャンネルを含む物理チャンネルの放送波を供給する。次に、制御部１８は、信号処理回路１３を制御して後述する映像信号加工処理を行わせ、チューナ１２ａ，１２ｂから供給された放送波の中から受信要求チャンネルの映像信号を選択して処理させ、多画面信号作成回路１５に供給する。
【００２６】
次に、制御部１８は、多画面信号作成回路１５を制御して、２画面表示モード時には信号処理回路１３から供給された映像信号を元に作成した２画面合成信号を、また、１画面表示モード時には信号処理回路１３から供給された映像信号をそのまま、受像処理回路１６に供給する。次に、制御部１８は、受像処理回路１６を制御して、２画面合成信号又は映像信号に基づき液晶表示装置１７による映像表示を行う。このようにして受信要求チャンネルの映像信号を元にした映像が液晶表示装置１７の表示画面に表示される。
【００２７】
このようにして映像表示が行われているときに、操作キー１９ａの操作による信号入力や赤外線受光部１９ｂで受光された赤外線信号の入力に基づき画面表示モードや受信要求チャンネルが変更されると、制御部１８は、ＲＡＭに記憶されている画面表示モード情報や受信要求チャンネル情報を更新する。これにより、液晶表示装置１７の表示画面で１画面表示や２画面表示が切り替えられたり、表示チャンネルが切り替えられたりする。
【００２８】
次に、信号処理回路１３が行う映像信号加工処理について説明する。図３は、この映像信号加工処理の概略を示すフローチャートである。映像信号加工処理は、制御部１８から制御信号を受信した信号処理回路１３の制御回路６により実行される。制御部１８から供給される制御信号には、画面表示モード情報及び受信要求チャンネル情報が含まれており、制御回路６はこれらの情報を参照して処理を行う。
【００２９】
映像信号加工処理では、信号処理回路１３の制御回路６は、選択されている画面表示モードが１画面表示モードであるか否かを判別する（Ｓ１）。この判別は、制御部１８から供給された制御信号に含まれる画面表示モード情報に基づき行われる。１画面表示モードが選択されておりこの判別が“ＹＥＳ”のとき、制御回路６は、第１の信号処理部２のみで信号処理を行う（Ｓ２）。この信号処理では、チューナ１２ａから供給された第１放送波が復調・分離回路２１で復調されて映像信号が分離され、得られた映像信号に対して、デコード回路２２でデコード，ＩＰ変換回路２３でＩＰ変換，ＮＲ回路２４でノイズ除去，Ｙ／Ｃ分離回路２５でＹ／Ｃ分離，スケーリング回路２６でスケーリング等が行われる。２画面表示モードが選択されておりＳ１の判別が“ＮＯ”のときには、制御回路６は、主画面及び副画面で受信要求チャンネルが同じであるか否かを判別する（Ｓ３）。この判別は、制御部１８から供給された制御信号に含まれる受信要求チャンネル情報に基づき行われる。
【００３０】
主画面及び副画面での受信要求チャンネルが同じでＳ３の判別が“ＹＥＳ”のとき、制御回路６は、第１の信号処理部２のみで信号処理を行う（Ｓ４）。この信号処理では、チューナ１２ａ及びチューナ１２ｂから供給された第１放送波及び第２放送波のうち、チューナ１２ａから供給された第１放送波についてのみ、Ｓ２と同様の処理が第１の信号処理部２で行われる。主画面及び副画面での受信要求チャンネルが異なりＳ３の判別が“ＮＯ”のとき、制御回路６は、両信号処理部２，３で信号処理を行う（Ｓ５）。Ｓ４又はＳ５の処理の後、制御回路６は、各両信号処理部２，３で処理した２画面分の映像信号を表示出力Ｉ／Ｆ４から出力して多画面信号作成回路１５に供給する（Ｓ６）。また、Ｓ２の処理の後、制御回路６は、第１の信号処理部２で処理した１画面分の映像信号を表示出力Ｉ／Ｆ４から出力して多画面信号作成回路１５に供給する（Ｓ７）。
【００３１】
このようにして、テレビジョン受像機１では、操作キー１９ａの操作や図示しないリモートコントロール装置の操作により受信要求チャンネルが切り替えられると、切り替えられた受信要求チャンネルの映像信号に基づく映像が液晶表示装置１７の表示画面に表示される。また、同様にして、画面表示モードが１画面表示モードと２画面表示モードとの間で切り替えられる度に、主画面のみの１画面表示と、主画面及び副画面の２画面表示との間で画面表示が切り替えられる。
【００３２】
また、１画面表示モード中に操作キー１９ａの操作等で２画面表示モードが選択され、かつ、主画面と副画面とで異なる受信要求チャンネルが選択されている場合には、両信号処理部２，３で各受信要求チャンネルの信号処理が行われ、液晶表示装置１７の表示画面に主画面及び副画面の映像が２画面表示される。これに対し、２画面表示モード時に主画面と副画面とで同じ受信要求チャンネルが選択されている場合には、第１の信号処理部２のみで信号処理が行われ、主画面及び副画面の映像が２画面表示される。
【００３３】
本実施形態によるテレビジョン受像機１によれば、第１の信号処理部２のみを用いた単一の処理で、同じ受信要求チャンネルの番組を、同時に複数映像表示することができる。従って、受信要求チャンネルが同一であるかに関わらずに各受信要求チャンネルの信号処理を各信号処理部２，３で行う場合に比べて、処理するデータ量を減らして、メモリバンド幅が足りずに映像処理速度が遅れることや、映像の画質を落とさなければならなくなる事態を生じ難くすることができる。特にチャンネル切換の際にはそれまでの受信要求チャンネルの信号処理を終了した後に新たな受信要求チャンネルの信号処理を開始する必要があることから、このような事態が生じ易い傾向にある。しかしながら、本実施形態によるテレビジョン受像機１によれば、２画面表示モード時に同じ受信要求チャンネルが同時に選択されたときに、各受信要求チャンネルの映像信号の処理が第１の信号処理部２のみを用いた単一の処理で行われるので、メモリバンド幅が足りなくなるのを避けることができる。しかも、同じ受信要求チャンネルの映像信号を各信号処理部２，３で同時に処理することに伴う混信障害の発生も、各信号処理部２，３で処理される映像信号のセンター周波数を変えることなく防止することができる。また、処理するデータ量を減らすことができることから、テレビジョン受像機１の消費電力も減らすことができる。
【００３４】
特に、本実施形態によるテレビジョン受像機１は、信号処理回路１３が単一のチップ上に集積して構成されていることから、映像処理の速度が遅れたり映像の画質を落とさなければならなくなる傾向が強いが、同じ受信要求チャンネルの番組を２画面表示する際には第１の信号処理部２のみで処理を行うことにより、映像処理の速度が遅れたり映像の画質を落とさなければならなくなる事態をより生じ難くすることができる。
【００３５】
また、本実施形態によるテレビジョン受像機１によれば、デコード、ＩＰ変換、及びＮＲの処理が他の処理に比べて多くのデータを処理する必要があることから、同一チャンネルの映像信号に基づいて映像を２画面表示する場合には、これらの処理を第１の信号処理部２のみを用いて行うことにより、映像信号処理に用いるデータ量をより確実に減らして、メモリバンド幅が足りずに映像処理速度が遅れることや、映像の画質を落とさなければならなくなる事態を生じ難くすることができ、さらに、消費電力を削減できるという、上記作用効果をより確実に得ることが可能となる。
【００３６】
次に、地上デジタル放送の同一物理チャンネルに含まれるデータ放送番組及び映像放送番組をテレビジョン受像機１が画面表示する、本発明の第２の実施形態について説明する。図４は、図１に示すテレビジョン受像機１が備える信号処理回路１３のデータ信号の処理系を含んだ構成の概略を説明する図である。
【００３７】
図４に示すように、信号処理回路１３が備える信号処理部２，３は、復調・分離回路２１及びデコード回路２２の他に、映像放送番組の映像信号を処理する映像処理部２ａ、３ａを備えている。映像処理部２ａ、３ａは、ＩＰ変換回路２３、ＮＲ回路２４、Ｙ／Ｃ分離回路２５、及びスケーリング回路２６等を備えて構成されている。また、各信号処理部２，３は、テキスト処理回路２ｂ，３ｂを備えている。テキスト処理回路２ｂ，３ｂは、データ放送番組のデータ信号に含まれるテキストデータの蓄積や、スケーリング等の処理を行う回路である。テキストデータには、文字データの他に図形データ等も含まれる。
【００３８】
また、図１に示す操作キー１９ａには、画像表示する映像放送番組と同一の物理チャンネルに含まれるデータ放送番組を画面表示する際に操作されるデータ連動ボタンが含まれている。データ連動ボタンは、同一の物理チャンネルに含まれる映像放送番組とデータ放送番組とを別個に画面表示する際にも操作される。
【００３９】
本実施形態では、制御回路６から構成される処理手段選択手段は、放送受信手段が受信した放送波から取得した映像信号のうち、同一の物理チャンネルに含まれる映像放送番組の映像信号（以降、放送映像信号）及びデータ放送番組の映像信号（以降、データ映像信号）が同一の場合には、復調・分離、デコード、ＩＰ変換、ＮＲ、Ｙ／Ｃ分離、及びスケーリングの処理を、第１の信号処理部２のみに行わせ、放送映像信号とデータ映像信号が異なる場合は、復調・分離、デコード処理を第１の信号処理部２で行い、以降は放送映像信号の処理を、映像処理部２ａで、データ映像信号の処理を映像処理部３ａで行うように制御する。
【００４０】
次に、画面表示する映像放送番組と同一の物理チャンネルに含まれるデータ放送番組を画面表示するために、図４に示す信号処理回路１３で実行されるデータ放送表示処理を説明する。図５は、このデータ放送表示処理の概略を示すフローチャートである。データ放送表示処理は、制御部１８から制御信号を受信した信号処理回路１３の制御回路６により実行される。制御部１８から供給される制御信号には、画面表示モード情報及び受信要求チャンネル情報の他に、連動表示モード情報も含まれており、制御回路６はこれらの情報を参照して処理を行う。連動表示モード情報は、映像放送番組とデータ放送番組とを連動表示する連動表示モードが選択されているか否かを表す情報である。
【００４１】
先ず、制御回路６は、１画面表示モードが選択されているか否かを判別する（Ｓ１１）。この判別が“ＮＯ”の場合には、次に映像放送番組とデータ放送番組との連動表示モードが選択されているか否かを判別する（Ｓ１２）。この判別が“ＮＯ”のときは、次に受信要求チャンネルが同一か否かを判別する（Ｓ１３）。Ｓ１３の判別が“ＮＯ”の場合は、異なるチャンネルを２画面表示することとなり、制御回路６は、上記第１の実施形態での異なるチャンネルの２画面表示処理と同様に、Ｓ１４，Ｓ１５の処理を行う。この結果、液晶表示装置１７に異なるチャンネルの２画面画像が表示される。
【００４２】
一方、Ｓ１３の判別が“ＹＥＳ”の場合は、同一チャンネルを２画面表示することとなり、制御回路６は、上記第１の実施形態での同一チャンネルの２画面表示処理と同様に、Ｓ２２，Ｓ２３の処理を行う。この結果、液晶表示装置１７に同一チャンネルの２画面画像が表示される。
【００４３】
Ｓ１２の判別が“ＹＥＳ”の場合は、第１放送波の放送映像信号と第１放送波のデータ放送のデータを２画面表示することになるため、制御回路６は、チューナ１２ａから供給された第１放送波を第１の信号処理部２に入力し、復調・分離回路２１とデコード回路２２にて放送映像信号とデータを抽出し、抽出したデータに映像信号が含まれるか否かを判別する（Ｓ１６）。データに映像信号が含まれていてＳ１６の判別が“ＹＥＳ”の場合、制御回路６は、放送映像信号とデータ映像信号が同一か否かを判別する（Ｓ１７）。
【００４４】
放送映像信号とデータ映像信号が同一でＳ１７の判別が“ＹＥＳ”の場合、制御回路６は、第１放送波の放送映像信号を映像処理部２ａで処理する（Ｓ２１）。但し、データ映像信号独自のスケーリングが必要な場合には、制御回路６は、データ放送のデータ映像信号が表す画像表示サイズを検出し、データ映像信号のスケーリング処理を映像処理部３ａで行う。
【００４５】
一方、放送映像信号とデータ映像信号が異なりＳ１７の判別が“ＮＯ”の場合、制御回路６は、第１放送波の放送映像信号を映像処理部２ａで処理し、データ映像信号を映像処理部３ａで処理する（Ｓ１８）。Ｓ１８又はＳ２１の処理の後、制御回路６は、テキスト処理回路２ｂで処理したテキストデータとデータ映像信号を合成してデータ映像を作成する（Ｓ１９）。
【００４６】
Ｓ１６の判別が“ＮＯ”の場合、又は、Ｓ１９の処理の後、制御回路６は、放送映像とデータ映像を表示出力Ｉ／Ｆ４を介して多画面信号作成回路１５へ出力する（Ｓ２０）。この処理では、データに映像がなくてＳ１６の判別が“ＮＯ”の場合には、放送映像とテキストデータが表示出力Ｉ／Ｆ４を介して多画面信号作成回路１５へ出力される。多画面信号作成回路１５は、制御部１８の制御にて、受像処理回路１６に第１放送波の放送映像信号と第１放送波のデータ放送の２画面合成信号を出力し、液晶表示装置１７には２画面画像が表示される。
【００４７】
１画面表示モードが選択されていてＳ１１の判別が“ＹＥＳ”の場合も、Ｓ１２の処理と同様に、連動モードか否かが判別される（Ｓ２４）。Ｓ２４の判別が“ＮＯ”の場合は、第１放送波の放送映像を１画面表示することとなり、制御回路６は、第１の実施形態での放送映像の１画面表示処理と同様の処理をＳ２５，Ｓ２６で実行する。この結果、液晶表示装置１７には、第１放送波の放送映像が１画面表示される。
【００４８】
Ｓ２４の判別が“ＹＥＳ”の場合は、第１放送波の放送映像信号と第１放送波のデータ放送のデータを１画面表示することになるため、制御回路６は、チューナ１２ａから供給された第１放送波を第１の信号処理部２に入力し、復調・分離回路２１とデコード回路２２にて放送映像信号とデータを抽出し、抽出したデータに映像信号が含まれるか否かを判別する（Ｓ２７）。データに映像信号が含まれていてＳ２７の判別が“ＹＥＳ”の場合、制御回路６は、放送映像信号とデータ映像信号が同一か否かを判別する（Ｓ２８）。
【００４９】
放送映像信号とデータ映像信号が同一でＳ２８の判別が“ＹＥＳ”の場合、制御回路６は、第１放送波の放送映像信号を映像処理部２ａで処理する（Ｓ３２）。但し、データ映像信号独自のスケーリングが必要な場合には、制御回路６は、データ放送のデータ映像信号が表す画像表示サイズを検出し、データ映像信号のスケーリング処理を映像処理部３ａで行う。一方、放送映像信号とデータ映像信号が異なりＳ２８の判別が“ＮＯ”の場合、制御回路６は、第１放送波の放送映像信号を映像処理部２ａで処理し、データ映像信号を映像処理部３ａで処理する（Ｓ２９）。Ｓ２９又はＳ３２の処理の後、制御回路６は、テキスト処理回路２ｂで処理したテキストデータとデータ映像信号を合成してデータ映像を作成する（Ｓ３０）。
【００５０】
Ｓ２７の判別が“ＮＯ”の場合、又は、Ｓ３０の処理の後、制御回路６は、放送映像とデータ映像を表示出力Ｉ／Ｆ４を介して多画面信号作成回路１５へ出力する（Ｓ３１）。この処理では、データに映像がなくてＳ２７の判別が“ＮＯ”の場合には、放送映像とテキストデータが表示出力Ｉ／Ｆ４を介して多画面信号作成回路１５へ出力される。多画面信号作成回路１５は、制御部１８の制御にて、受像処理回路１６に第１放送波の放送映像信号とデータ放送の合成信号を出力し、液晶表示装置１７には１画面画像が表示される。
【００５１】
このようにして、テレビジョン受像機１では、操作キー１９ａの操作や図示しないリモートコントロール装置の操作により連動表示モードが選択されてデータ放送番組が画面表示される場合には、映像放送番組の放送波及びデータ放送番組の放送波が復調・分離回路２１で一緒に復調及び分離され、取り出された映像信号やデータ信号がデコード回路２２で共にデコードされる。しかも、データ放送番組の放送波に映像信号が含まれ、かつ、放送映像信号とデータ映像信号が同じである場合には、両映像信号が第１の信号処理部２で一緒に処理される。また、放送映像信号とデータ映像信号が異なる場合でも、第１の信号処理部２の復調・分離回路２１とデコード回路２２にて復調・分離・デコード処理が一緒に行われることになる。
【００５２】
本実施形態によるテレビジョン受像機１によれば、同じ物理チャンネルに含まれる映像放送番組及びデータ放送番組を同時に映像表示する場合に、データ放送番組と映像放送番組とで映像信号が同じ場合には、両映像信号を第１の信号処理部２のみを用いた単一の処理で映像表示することができ、異なる場合は、第１の信号処理部２の一部を共用することになる。従って、データ放送番組と映像放送番組とをそれぞれ映像表示する場合にも、上記第１の実施形態と同様の作用効果を得ることができる。しかも、映像放送番組及びデータ放送番組の映像信号と、データ放送番組のテキストデータとが復調・分離回路２１で一緒に復調・分離され、更にデコード処理がデコード回路２２で一緒に行われる。このため、同じ物理チャンネルの放送波に含まれる信号を別個の回路で同時に処理することに伴う混信障害の発生を、各信号のセンター周波数を変えることなく防止することができる。
【００５３】
上記第１、及び第２の実施形態の説明では、第１の信号処理部２のみ又は両信号処理部２，３で信号処理を行うかを信号処理回路１３の制御回路６が判断した場合について説明した。しかしながら、制御部１８がこの判断を行う構成としてもよい。この場合、制御部１８も処理手段選択手段として信号処理回路１３と共に本発明の画像信号処理装置を構成する。このような構成の場合、制御部１８も信号処理回路１３と共に１チップ上に集積する構成としてもよい。
【００５４】
また、１つの信号処理部２のみ又は両信号処理部２，３で信号処理を行うか否かを、制御回路６が制御部１８から供給される情報に基づき判断した場合について説明した。しかしながら、映像信号に含まれる編成チャンネルや番組の情報に基づき、制御回路６がこの判断を行う構成としてもよい。
【００５５】
また、２画面表示モード時のチャンネル切換や、連動表示モードの選択が行われる度に、両信号処理部２，３に入力された映像信号を所定時間それぞれ比較し、比較した結果、同じ映像信号であると判別すると、一方の信号処理部のみで信号処理を行う構成としてもよい。また、２画面表示モードや連動表示モード時には、所定の時間間隔で常に、両信号処理部２，３に入力された映像信号を比較し、比較した結果、同じ映像信号であると判別すると、一方の信号処理部のみで信号処理を行うように処理を切り替える構成としてもよい。
【００５６】
また、上記各実施形態の説明では、信号処理部２，３の動作を制御回路６が制御した場合について説明したが、信号処理部２，３がそれぞれ制御回路を備え、これらの制御回路が信号処理部２，３の各回路の動作を制御する構成としてもよい。この場合、信号処理部２，３の備える制御回路が処理手段選択手段を構成する。
【００５７】
また、信号処理部２，３が制御回路を備える構成とする場合、第１の信号処理部２のみ又は両信号処理部２，３で信号処理を行うことの判断を制御部１８が行ってもよい。この場合、制御部１８も処理手段選択手段として信号処理回路１３と共に本発明の画像信号処理装置を構成する。このような構成の場合、制御部１８も信号処理回路１３と共に１チップ上に集積する構成としてもよい。
【００５８】
また、上記第１の実施形態の説明では、信号処理回路１３の備える信号処理部２，３が復調・分離回路２１、デコード回路２２、ＩＰ変換回路２３、ＮＲ回路２４、Ｙ／Ｃ分離回路２５、スケーリング回路２６等を備えて構成されている場合について説明した。しかしながら、テレビジョン受像機１全体としてこれらの回路を備えているのであれば、信号処理部２，３は、デコード回路２２、ＩＰ変換回路２３、及びＮＲ回路２４のうちの少なくとも１つの回路を備えていればよく、その構成は任意である。
【００５９】
また、上記各実施形態の説明では、制御部１８が画面表示モード情報及び表示要求チャンネル情報、更には連動表示モード情報に基づき、画面表示に必要な動作をチューナ１２ａ，１２ｂ及び多画面信号作成回路１５に指示した場合について説明した。しかしながら、制御部１８から供給されたこれらの情報に基づき、チューナ１２ａ，１２ｂや、多画面信号作成回路１５が画面表示に必要な動作を判断する構成としてもよい。
【００６０】
また、上記各実施形態の説明では、同時に表示できる画面数が最大２画面であるテレビジョン受像機１の備える信号処理回路１３に本発明を適用した場合について説明したが、例えば３画面やそれ以上の画面を同時に表示することのできるテレビジョン受像機１の備える信号処理回路にも本発明を適用することができる。このような構成の場合、信号処理回路１３は、第１の信号処理部２及び第２の信号処理部３だけでなく、同時に表示できる最大画面数と同じ数だけの信号処理部を備え、同じ映像信号に基づき複数の画面表示を行う場合には、それらの画面表示用の映像信号の処理は１つの信号処理部を用いた単一の処理で行うようにしてもよい。
【図面の簡単な説明】
【００６１】
【図１】本発明を適用したテレビジョン受像機の構成の概略を説明する図である。
【図２】図１に示すテレビジョン受像機が備える信号処理回路の構成の概略を説明する第１の図である。
【図３】図２に示す信号処理回路による映像信号加工処理の概略を示すフローチャートである。
【図４】図１に示すテレビジョン受像機が備える信号処理回路の構成の概略を説明する第２の図である。
【図５】図４に示す信号処理回路によるデータ放送表示処理の概略を示すフローチャートである。
【符号の説明】
【００６２】
１              テレビジョン受像機
１１            アンテナ
１２ａ，１２ｂ  チューナ
１３            信号処理回路（画像信号処理装置）
１４            映像処理用記憶回路
１５            多画面信号作成回路
１６            受像処理回路
１７            液晶表示装置
１８            制御部
２１            復調・分離回路
２２            デコード回路
２３            ＩＰ変換回路
２４            ＮＲ回路
２５            ＹＣ分離回路
２６            スケーリング回路
６              制御回路（処理手段選択手段）
２，３          信号処理部（信号処理手段）
２ａ，３ａ      映像処理部（信号処理手段）
２ｂ，３ｂ      テキスト処理回路
４              表示出力Ｉ／Ｆ
５              記憶回路用Ｉ／Ｆ
６              制御回路
７              ＢＵＳ
【図１】
2008306540.tif 000003
【図２】
2008306540.tif 000004
【図３】
2008306540.tif 000005
【図４】
2008306540.tif 000006
【図５】
2008306540.tif 000007